(57)【要約】【課題】バックアップバッテリの消耗によって、バッテリバックアップの必要な素子のデータ化けが発生している可能性があることを、機器の動作速度の低下を招かず、かつ、確実に検出する装置を得る。【解決手段】バックアップバッテリと前記素子の間にスイッチ素子を介して電圧検出器を設け、メインバッテリの装着時、前記スイッチ素子をオンする前に電圧検出器によってバックアップバッテリの電圧値を測定し、この電圧値が所定値より下回った場合、スイッチ素子がオンした後に前記素子をリセットする。【選択図】          図１
2004356813.tif 000002
【特許請求の範囲】
【請求項１】
バッテリバックアップが必要な素子と、
前記素子に対するバックアップバッテリと、
前記素子及びバックアップバッテリを含んだ各部に電力を供給するメインバッテリと、
前記バックアップバッテリの出力電圧を測定する電圧検出器と、
前記素子及びバックアップバッテリとメインバッテリとの間に配置されたスイッチ素子と、
メインバッテリ装着時、前記スイッチ素子をオンする前に前記電圧検出器による測定を行い、当該測定値が所定値より下回った場合、前記スイッチ素子がオンした後に前記素子をリセットする制御手段とを備えたことを特徴とする電子機器。
【請求項２】
前記電圧検出器は前記バックアップバッテリの出力電圧をＡＤ変換するＡＤ変換器を有することを特徴とする請求項１記載の電子機器。
【請求項３】
前記電圧検出器と前記バックアップバッテリの間に設けられた第２のスイッチ素子を備え、前記電圧検出器の電圧測定時のみ当該第２のスイッチ素子をオンすることを特徴とする請求項１または２記載の電子機器。
【請求項４】
バックアップバッテリが必要であって、電話番号を記憶するメモリ素子と、
前記メモリ素子に対するバックアップバッテリと、
前記メモリ素子及びバックアップバッテリを含んだ各部に電力を供給するメインバッテリと、
前記バックアップバッテリの出力電圧を測定する電圧検出器と、
前記メモリ素子及びバックアップバッテリとメインバッテリとの間に配置されたスイッチ素子と、
メインバッテリ装着時、前記スイッチ素子をオンする前に前記電圧検出器による測定を行い、当該測定値が所定値より下回った場合、前記スイッチ素子がオンした後に前記メモリ素子をリセットするよう制御する制御手段とを備えたことを特徴とする携帯電話装置。
【請求項５】
時計用のＩＣ素子と、
前記ＩＣ素子に対するバックアップバッテリと、
前記ＩＣ素子及びバックアップバッテリを含んだ各部に電力を供給するメインバッテリと、
前記バックアップバッテリの出力電圧を測定する電圧検出器と、
前記ＩＣ素子及びバックアップバッテリとメインバッテリとの間に配置されたスイッチ素子と、
メインバッテリ装着時、前記スイッチ素子をオンする前に前記電圧検出器による測定を行い、当該測定値が所定値より下回った場合、前記スイッチ素子がオンした後に前記ＩＣ素子をリセットするよう制御する制御手段とを備えたことを特徴とする携帯電話装置。
【請求項６】
前記電圧検出器と前記バックアップバッテリの間に設けられた第２のスイッチ素子を備え、前記電圧検出器の電圧測定時のみ当該第２のスイッチ素子をオンすることを特徴とする請求項４または５記載の携帯電話装置。
【発明の詳細な説明】
【０００１】
【発明の属する技術分野】
本発明は、携帯電話装置等のバックアップバッテリの消耗を確実に検出し、ＳＲＡＭ、時計ＩＣのデータ化け防止に係るものである。
【０００２】
【従来の技術】
従来の携帯機器においては、機器駆動用バッテリが未装着や、電源ＯＦＦ状態が長く続いた場合に、バックアップバッテリがＳＲＡＭおよび時計ＩＣに電力を供給し、記憶データが保持されるようになっているが、バックアップバッテリの消耗を検出する手段を持たない構成となっている（例えば、特許文献１、第１図）。
【０００３】
従来の携帯機器では、バックアップバッテリの消耗によるＳＲＡＭの記憶データ化けを検出するためには、データに誤り検出符号を付加する必要があるが、この誤り検出符号自身もバックアップバッテリの消耗時にデータ化けを起こすので、完全なデータ化けの検出が不可能であるばかりでなく、データの書き換わりに伴う誤り検出符号の算出に時間を要するため、機器の動作速度を低下させる問題があった。また、時計ＩＣについては、データ値がありえない時刻にならない限りデータ化けが発生していることを検出することが不可能である。
【０００４】
【特許文献１】
特開平１１−１７７４８１号公報（第１図）
【０００５】
【発明が解決しようとする課題】
本発明は、上記のような問題点を解決するためになされたもので、バックアップバッテリの消耗によって、ＳＲＡＭおよび時計ＩＣのデータ化けが発生している可能性があることを、機器の動作速度の低下を招かず、かつ、確実に検出することができる装置を得るものである。
【０００６】
【課題を解決するための手段】
本発明に係る電子機器は、バッテリバックアップが必要な素子と、前記素子に対するバックアップバッテリと、前記素子及びバックアップバッテリを含んだ各部に電力を供給するメインバッテリと、前記バックアップバッテリの出力電圧を測定する電圧検出器と、前記素子バックアップバッテリとメインバッテリとの間に配置されたスイッチ素子と、メインバッテリ装着時、前記スイッチ素子をオンする前に前記電圧検出器による測定を行い、当該測定値が所定値より下回った場合、前記スイッチ素子がオンした後に前記素子をリセットするよう制御する制御手段とを備えたものである。
【０００７】
また、本発明に係る携帯電話装置は、バックアップバッテリが必要であって、電話番号を記憶するメモリ素子と、前記メモリ素子に対するバックアップバッテリと、前記メモリ素子及びバックアップバッテリを含んだ各部に電力を供給するメインバッテリと、前記バックアップバッテリの出力電圧を測定する電圧検出器と、前記メモリ素子及びバックアップバッテリとメインバッテリとの間に配置されたスイッチ素子と、メインバッテリ装着時、前記スイッチ素子をオンする前に前記電圧検出器による測定を行い、当該測定値が所定値より下回った場合、前記スイッチ素子がオンした後に前記メモリ素子をリセットするよう制御する制御手段とを備えたものである。
【０００８】
また、時計用のＩＣ素子と、前記ＩＣ素子に対するバックアップバッテリと、前記ＩＣ素子及びバックアップバッテリを含んだ各部に電力を供給するメインバッテリと、前記バックアップバッテリの出力電圧を測定する電圧検出器と、前記ＩＣ素子及びバックアップバッテリとメインバッテリとの間に配置されたスイッチ素子と、メインバッテリ装着時、前記スイッチ素子をオンする前に前記電圧検出器による測定を行い、当該測定値が所定値より下回った場合、前記スイッチ素子がオンした後に前記ＩＣ素子をリセットするよう制御する制御手段とを備えたものである。
【０００９】
前記電圧検出器と前記バックアップバッテリの間に設けられた第２のスイッチ素子を備え、前記電圧検出器の電圧測定時のみ当該第２のスイッチ素子をオンするものである。
【００１０】
【発明の実施の形態】
実施の形態１．
以下、本発明の実施の形態１について説明する。図１は本発明の実施の形態１に係る携帯電話装置の構成を示す図である。本実施の形態１はＳＲＡＭ、時計ＩＣに電力を供給するバックアップバッテリについて、バッテリ電圧を測定する電圧検出器を設けたため、バックアップバッテリの消耗度合いを判定し、ＳＲＡＭおよび時計ＩＣのデータ化けが発生する電圧に低下したときはデータをクリアする構成としたため、機器の誤動作を未然に防ぐものである。また、バックアップバッテリの電圧を測定するタイミングを制御するスイッチを設けたため、測定時以外は電圧検出器による余分な電力消費をカットすることができるものである。
【００１１】
まず、携帯電話装置にメインバッテリ１が未装着の状態にある時、バックアップバッテリ８がＳＲＡＭ６および時計ＩＣ７に電力を供給し、ＳＲＡＭ６は電話番号等のデータを保持し、時計ＩＣ７は動作を続ける。ＳＲＡＭ６および時計ＩＣ７の稼動電流はそれぞれ１μＡ程度であり、バックアップバッテリ８は３ｍＡ・ｈ程度の容量を有しているので、数ヶ月程度の期間、メインバッテリ１の装着無しでＳＲＡＭ６および時計ＩＣ７を動作させることができる。スイッチ１１は電圧検出器１０に電流が流れこむことによる余分な電力消費を減らすために設けられるものである。
【００１２】
一方、携帯電話装置にメインバッテリ１が装着されると、レギュレータ２がＯＮする。レギュレータ２の電圧が、ＣＰＵ４およびＲＯＭ５が動作可能な電圧に達すると、電圧検出器３がリセットを解除する。リセットが解除されるとＣＰＵ４はＲＯＭ５が記憶するプログラムに従って、スイッチ９をＯＮする前に、図２に示すようにバックアップバッテリ８の電圧が低くなっていないか確認してから機器の立ち上げを行う。また、その際、電圧検出器１０にも電流が供給され動作を開始する。
【００１３】
図２は、機器の立ち上げ時におけるバックアップバッテリ８の電圧を確認する動作のフローチャートである。まず、ＣＰＵ４がＲＯＭ５に記憶されたプログラムを読み込み、スイッチ１１をＯＮする（ステップＳ１０）。すると、電圧検出器１０にバックアップバッテリ８の電圧が入力され電圧測定が開始される。この電圧測定の結果は、ＣＰＵ４に出力されＣＰＵ４の内蔵レジスタ（図示せず）に読み込まれる（ステップＳ２０）。電圧検出器１０内部にメモリされた所定電圧より測定された電圧が低い場合には’Ｌ’を出力し、反対に高い場合は’Ｈ’をＣＰＵ４に入力する。
【００１４】
次に、スイッチ９をＯＮしてバッテリ１からＳＲＡＭ６、時計ＩＣ７に確実に動作できる電力を供給する（ステップＳ３０）。さらにバックアップバッテリ８もバッテリ１から電力の供給を受けて充電される。そして、先程ＣＰＵ４が読み込んだ電圧検出器１０の出力が’Ｌ’の場合（ステップＳ４０）にはＳＲＡＭ６および時計ＩＣ７がデータ化けを起こしているものとしてデータをクリア（ステップＳ５０）してユーザの操作指示を待つ（ステップＳ６０）。その際、例えば、時刻の再設定等を携帯機器の表示画面上で指示してもよい。一方、電圧検出器１０の出力が’Ｈ’の場合（ステップＳ４０）にはそのまま立ちあげて同様にユーザの操作指示を待つ（ステップＳ６０）。
【００１５】
以上が、本発明の実施の形態１に係る携帯電話装置のバックアップバッテリの消耗度合い測定によるＳＲＡＭ、時計ＩＣのデータ化け検出動作である。本発明の実施の形態１のように装置の立ち上げ時にメインバッテリからＳＲＡＭ、時計ＩＣへの通電を開始する前にバックアップバッテリの電圧を測定し、所定の電圧値より低い場合はＳＲＡＭ、時計ＩＣにデータ化けが発生しているものとしてリセットする構成としたため、機器の動作速度の低下を招かず、かつ、確実に検出することができる装置を得るものである。また、バックアップバッテリの電圧を測定するタイミングを制御するスイッチを設けたため、測定時以外は電圧検出器による余分な電力消費をカットすることができるものである。
【００１６】
実施の形態２．
次に、本発明の実施の形態２について説明する。図３は本発明の実施の形態２に係る携帯電話装置の構成を表す図である。図１と同じ構成要素には同じ符号を付す。図１との違いは、バックアップバッテリ８の電圧を検出する手段として、電圧検出器１０の代わりにＡＤコンバータ１２を用いている点である。
【００１７】
図４は、本実施の形態２における機器の立ち上げ時におけるバックアップバッテリ８の電圧を確認する動作のフローチャートである。まず、ＣＰＵ４がＲＯＭ５に記憶されたプログラムを読み込み、スイッチ１１をＯＮする（ステップＳ１０）。すると、バックアップバッテリ８とＡＤコンバータ１２とが通電され、バックアップバッテリ８の電圧値がＡ／Ｄ変換されて出力される。このディジタル化した電圧値は、ＣＰＵ４に出力されＣＰＵ４の内蔵レジスタ（図示せず）に読み込まれる（ステップＳ２１）。
【００１８】
次に、スイッチ９をＯＮしてバッテリ１からＳＲＡＭ６、時計ＩＣ７に確実に動作できる電力を供給する（ステップＳ３０）。さらにバックアップバッテリ８もメインバッテリ１から電力の供給を受けて充電される。ＣＰＵ４では先ほど読み込んだＡＤコンバータ１２の電圧値とＲＯＭ５に記憶された所定の閾値とを比較し、電圧値の方が低い場合の場合（ステップＳ４０）にはＳＲＡＭ６および時計ＩＣ７がデータ化けを起こしているものとしてデータをクリア（ステップＳ５０）してユーザの操作指示を待つ（ステップＳ６０）。その際、例えば、時刻の再設定等を携帯機器の表示画面上で指示してもよい。一方、ＡＤコンバータ１２の出力が所定の電圧値より高い場合（ステップＳ４０）にはそのまま立ちあげて同様にユーザの操作指示を待つ（ステップＳ６０）。
【００１９】
以上のように、本発明の実施の形態２に係る携帯電話装置は、装置の立ち上げ時にメインバッテリからＳＲＡＭ、時計ＩＣへの通電を開始する前に、ＡＤコンバータによりバックアップバッテリの電圧をＡＤ変換し、この電圧値が所定の閾値より低い場合はＳＲＡＭ、時計ＩＣにデータ化けが発生しているものとしてリセットする構成としたため、機器の動作速度の低下を招かず、かつ、確実に検出することができる装置を得るものである。さらに、実施の形態１と異なり所定の閾値はＲＯＭ５に格納されているため、採用するＳＲＡＭ、時計ＩＣの仕様に合わせて閾値を変更することが可能であり、部品の選択が容易となる。
【００２０】
【発明の効果】
以上のように、本発明に係る電子機器は、機器の立ち上げ時、メインバッテリからバッテリバックアップが必要な素子に通電を開始する前に、電圧検出器によりバックアップバッテリの電圧を測定し、この電圧値が所定の閾値より低い場合はバッテリバックアップが必要な素子にデータ化けが発生しているものとしてリセットする構成としたため、機器の動作速度の低下を招かず、かつ、確実に検出することができるものである。
【００２１】
また、本発明に係る携帯電話装置は、装置の立ち上げ時にメインバッテリからバッテリバックアップが必要な素子に通電を開始する前に、電圧検出器によりバックアップバッテリの電圧を測定し、この電圧値が所定の閾値より低い場合のバッテリバックアップが必要な素子にデータ化けが発生しているものとしてリセットする構成としたため、装置の動作速度の低下を招かず、かつ、確実に検出することができるものである。
【図面の簡単な説明】
【図１】本発明の実施の形態１に係る携帯電話装置の構成を表す図である。
【図２】本発明の実施の形態１に係る携帯電話装置の装置立ち上げ時におけるバックアップバッテリ８の電圧を確認する動作のフローチャートである。
【図３】本発明の実施の形態２に係る携帯電話装置の構成を表す図である。
【図４】本発明の実施の形態２に係る携帯電話装置の装置立ち上げ時におけるバックアップバッテリ８の電圧を確認する動作のフローチャートである。
【符号の説明】
１  メインバッテリ、    ２  レギュレータ、    ３  電圧検出器、
４  ＣＰＵ、  ５  ＲＯＭ、    ６  ＳＲＡＭ、    ７  時計ＩＣ、
８  バックアップバッテリ、    ９  スイッチ、    １０  電圧検出器、
１１  スイッチ、    １２  ＡＤコンバータ。
【図１】
2004356813.tif 000003
【図２】
2004356813.tif 000004
【図３】
2004356813.tif 000005
【図４】
2004356813.tif 000006